(57)【要約】【課題】コネクタから引き出された電線が結束されることによってコネクタのキャビティの縁部に接触することを抑制し、電線に大きな負荷がかかることを抑制すること。【解決手段】コネクタ付電線１００は、複数のキャビティ１０が形成されたコネクタ１と、コネクタ１の第一面１１側から第二面１２側に向かってそれぞれ複数のキャビティ１０に挿入されてコネクタ１に接続され、コネクタ１から延び出る複数の電線２と、コネクタ１と一体に成形され、キャビティ１０の第一面１１側の内縁部に設けられ、コネクタ１よりも柔軟な柔軟部３と、複数の電線２をまとめた状態で束ねる結束部材４と、を備える。そして、キャビティ１０Ｘの第一面１１側の内縁部における内周面が、第二面１２側から第一面１１側に向かうにつれ徐々にキャビティ１０Ｘの開口が大きくなるように傾斜して形成されている。【選択図】図１
2016201235.tif 000002
【特許請求の範囲】
【請求項１】
複数のキャビティが形成されたコネクタと、
前記コネクタの第一面側から前記コネクタの前記第一面に対し反対側の第二面側に向かってそれぞれ前記複数のキャビティに挿入されて前記コネクタに接続され、前記コネクタから延び出る複数の電線と、
前記コネクタと一体に成形され、前記キャビティの前記第一面側の内縁部に設けられ、前記コネクタよりも柔軟な柔軟部と、
前記複数の電線における前記コネクタから延び出た部分の周囲を一括して覆うように取り付けられ、前記複数の電線をまとめた状態で束ねる結束部材と、を備え、
前記キャビティの前記第一面側の内縁部における内周面が、前記第二面側から前記第一面側に向かうにつれ徐々に前記キャビティの開口が大きくなるように傾斜して形成されている、コネクタ付電線。
【請求項２】
請求項１に記載のコネクタ付電線であって、
前記柔軟部は、前記キャビティの前記第一面側の内縁部における内周面のうち前記第一面側から前記第二面側に向かう方向における一部の領域に形成されている、コネクタ付電線。
【請求項３】
請求項１に記載のコネクタ付電線であって、
前記柔軟部は、前記キャビティの前記第一面側の内縁部における内周面のうち前記第一面側から前記第二面側に向かう方向における全部の領域を覆うように設けられている、コネクタ付電線。
【請求項４】
請求項１から請求項３のいずれか１項に記載のコネクタ付電線であって、
前記柔軟部は、前記複数のキャビティのうち前記コネクタの前記第一面における中央部分から最も離れた位置の前記キャビティの内縁部に設けられている、コネクタ付電線。
【請求項５】
請求項１から請求項４のいずれか１項に記載のコネクタ付電線であって、
前記柔軟部は、前記キャビティの前記第一面側の内縁部の内周面のうち前記コネクタの前記第一面における中央部分側の領域に設けられている、コネクタ付電線。
【発明の詳細な説明】
【技術分野】
【０００１】
本発明は、電線及びコネクタを含むコネクタ付電線に関する。
【背景技術】
【０００２】
自動車等の車両に、電線及びコネクタを備えるコネクタ付電線が搭載される。例えば、特許文献１に示されるコネクタ付電線では、コネクタに形成された複数のキャビティ各々に、それぞれ端子が接続された複数の電線が挿入されている。そして、コネクタから引き出された電線の部分にテープが巻かれて束ねられている。
【先行技術文献】
【特許文献】
【０００３】
【特許文献１】特開２０１３−１８７００４号公報
【発明の概要】
【発明が解決しようとする課題】
【０００４】
しかしながら、特許文献１に示される例においては、コネクタから引き出された複数の電線が集合するようにまとめられた状態でテープ巻きされ、束ねられている。このとき、まとめられた電線の一部が、コネクタのキャビティの縁部に比較的強く接触し、電線に大きな負荷がかかることが懸念される。
【０００５】
本発明は、コネクタから引き出された電線が結束されることによってコネクタのキャビティの縁部に接触することを抑制し、電線に大きな負荷がかかることを抑制する技術を提供することを目的とする。
【課題を解決するための手段】
【０００６】
第１態様に係るコネクタ付電線は、複数のキャビティが形成されたコネクタと、前記コネクタの第一面側から前記コネクタの前記第一面に対し反対側の第二面側に向かってそれぞれ前記複数のキャビティに挿入されて前記コネクタに接続され、前記コネクタから延び出る複数の電線と、前記コネクタと一体に成形され、前記キャビティの前記第一面側の内縁部に設けられ、前記コネクタよりも柔軟な柔軟部と、前記複数の電線における前記コネクタから延び出た部分の周囲を一括して覆うように取り付けられ、前記複数の電線をまとめた状態で束ねる結束部材と、を備え、前記キャビティの前記第一面側の内縁部における内周面が、前記第二面側から前記第一面側に向かうにつれ徐々に前記キャビティの開口が大きくなるように傾斜して形成されている。
【０００７】
第２態様に係るコネクタ付電線は、第１態様に係るコネクタ付電線の一態様である。第２態様に係るコネクタ付電線においては、前記柔軟部は、前記キャビティの前記第一面側の内縁部における内周面のうち前記第一面側から前記第二面側に向かう方向における一部の領域に形成されている。
【０００８】
第３態様に係るコネクタ付電線は、第１態様に係るコネクタ付電線の一態様である。第３態様に係るコネクタ付電線においては、前記柔軟部は、前記キャビティの前記第一面側の内縁部における内周面のうち前記第一面側から前記第二面側に向かう方向における全部の領域を覆うように設けられている。
【０００９】
第４態様に係るコネクタ付電線は、第１態様から第３態様のいずれか１つに係るコネクタ付電線の一態様である。第４態様に係るコネクタ付電線においては、前記柔軟部は、前記複数のキャビティのうち前記コネクタの前記第一面における中央部分から最も離れた位置の前記キャビティの内縁部に設けられている。
【００１０】
第５態様に係るコネクタ付電線は、第１態様から第４態様のいずれか１つに係るコネクタ付電線の一態様である。第５態様に係るコネクタ付電線においては、前記柔軟部は、前記キャビティの前記第一面側の内縁部の内周面のうち前記コネクタの前記第一面における中央部分側の領域に設けられている。
【発明の効果】
【００１１】
上記の各態様において、柔軟部がコネクタと一体に成形されている。また、柔軟部は、コネクタのキャビティの第一面側の内縁部に設けられている。この場合、コネクタに挿入された電線が結束部材によってまとめられる際、曲げられた電線は、キャビティの内縁部に設けられた柔軟部に接触する。このため、電線が、比較的硬いコネクタのキャビティの縁部に接触することを抑制でき、摩耗することが抑制される。このため、コネクタから引き出された電線がコネクタのキャビティの縁部に接触することが抑制され、電線に大きな負荷がかかることを抑制できる。
【００１２】
また、上記の各態様において、キャビティの第一面側の内縁部における内周面が、第二面側から第一面側に向かうにつれ徐々にキャビティの開口が大きくなるように傾斜して形成されている。この場合、柔軟部が設けられたキャビティの第一面側の開口が狭くなることを抑制できる。
【００１３】
また、第２態様において、柔軟部は、キャビティの第一面側の内縁部における内周面のうち第一面側から第二面側に向かう方向における一部の領域に形成されている。この場合、より少量の柔軟部によって電線の摩耗を抑制できる。即ち、より経済的に電線にかかる負荷を抑制できる。
【００１４】
また、第３態様において、柔軟部は、キャビティの第一面側の内縁部における内周面のうち第一面側から第二面側に向かう方向における全部の領域を覆うように設けられている。この場合、より一層電線にかかる負荷を低減できる。
【００１５】
また、第４態様において、柔軟部は、複数のキャビティのうちコネクタの中央部分から最も離れた位置のキャビティの内縁部に設けられている。コネクタの中央部分から最も離れた位置のキャビティに挿入された電線には、結束部材によって複数の電線がまとめられる際に、曲げによる応力が発生しやすい。従って、第４態様においては、比較的強くコネクタの縁部に接触するおそれのある電線にかかる負荷を低減できる。
【００１６】
また、第５態様において、柔軟部は、キャビティの第一面側の内縁部の内周面のうち第一面におけるコネクタの中央部分側の領域に形成されている。即ち、柔軟部は、キャビティの内周面のうち結束部材によって複数の電線がまとめられる際に電線が近付く側の領域に設けられている。この場合、より少量の柔軟部によって電線にかかる負荷を抑制できる。即ち、より経済的に電線にかかる負荷を抑制できる。
【図面の簡単な説明】
【００１７】
【図１】第１実施形態に係るコネクタ付電線の斜視図である。
【図２】第１実施形態に係るコネクタ付電線におけるコネクタの正面図である。
【図３】第１実施形態に係るコネクタ付電線における電線の平面図である。
【図４】第１実施形態に係るコネクタ付電線の一部切り欠き平面図である。
【図５】第１実施形態に係るコネクタ付電線におけるコネクタ及び柔軟部の断面図である。
【図６】第１実施形態に係るコネクタ付電線におけるコネクタ及び柔軟部の断面図である。
【図７】第２実施形態に係るコネクタ付電線の一部切り欠き平面図である。
【発明を実施するための形態】
【００１８】
以下、添付の図面を参照しつつ、実施形態について説明する。以下の実施形態は、本発明を具現化した一例であり、本発明の技術的範囲を限定する事例ではない。
【００１９】
＜第１実施形態＞
まず、図１〜５を参照しつつ、第１実施形態に係るコネクタ付電線１００について説明する。コネクタ付電線１００は、複数のキャビティ１０が形成されたコネクタ１と電線２と柔軟部３と結束部材４とを備える。コネクタ付電線１００は、例えば、自動車等の車両に搭載される。なお、コネクタ１において、複数のキャビティ１０に電線２が挿入される側の面を第一面１１と称する。また、第一面１１に対し反対側の面を第二面１２と称する。
【００２０】
図１は、コネクタ付電線１００の斜視図である。図２は、コネクタ付電線１００におけるコネクタ１の正面図である。図２は、コネクタ１を第一面１１側から見た図である。図３は、電線２の平面図である。なお、本実施形態では、電線２には端子８が接続されている。図４は、コネクタ付電線１００の一部切り欠き平面図である。図４では、コネクタ１のキャビティ１０の内部が切り欠かれて示されている。図５，６は、コネクタ付電線１００におけるコネクタ１及び柔軟部３の断面図である。図５は、図２のＩＩ−ＩＩ線に沿って切断した断面図であり、コネクタ１における１つのキャビティ１０を示す断面図である。図６は、図２のＩＩＩ−ＩＩＩ線に沿って切断した断面図である。
【００２１】
まず、コネクタ付電線１００におけるコネクタ１について説明する。図１，２に示されるように、コネクタ１には、複数のキャビティ１０が形成されている。コネクタ１は、例えば、ポリブチレンテレフタレート（ＰＢＴ）又はＡＢＳ樹脂などの絶縁性の樹脂材料で構成された比較的硬い部材である。
【００２２】
本実施形態のコネクタ付電線１００に含まれるコネクタ１は、図１，２に示されるように、横方向における寸法が縦方向における寸法に対して比較的大きくなるように形成されている。即ち、コネクタ１においては、横方向において比較的多数のキャビティ１０が並ぶように形成されている。ここでは、図１，２に示されるように、コネクタ１では、横方向において６つのキャビティ１０が並ぶように形成されている。また、コネクタ１では、縦方向において２つのキャビティ１０が並ぶように形成されている。
【００２３】
コネクタ１に形成された複数のキャビティ１０には、それぞれ１本ずつ電線２が挿入される。なお、本実施形態では、電線２の端部に端子８が接続された端子付電線が、キャビティ１０に挿入される。この場合、コネクタ１には、電線２の端部に接続された端子８をキャビティ１０に収容された状態で位置決めするリテーナー部（不図示）が形成されていることが考えられる。
【００２４】
また、コネクタ１の第一面１１に対し反対側の第二面１２は、例えば、このコネクタ１の接続相手（別のコネクタ等）との接続面であることが考えられる。
【００２５】
また、本実施形態において、コネクタ１におけるキャビティ１０の内周面は、横方向において対向する２つの面１０１と縦方向において対向する２つの面１０２とを含む。即ち、キャビティ１０の内周面は、それぞれ角度を成して連なった４つの面（それぞれ２つずつの面１０１，１０２）を含んでいる。従って、ここでは、横方向又は縦方向に沿う切断線によって切断した断面において、キャビティ１０は、矩形状に形成されている。
【００２６】
また、本実施形態では、複数のキャビティ１０のうちコネクタ１の第一面１１における中央部分から最も離れた位置のキャビティ１０が、その他のキャビティ１０と異なる構造を有している。以下では、便宜上、必要に応じて、第一面１１の中央部分から最も離れた位置のキャビティ１０を、キャビティ１０Ｘと称し、キャビティ１０Ｘ以外のものをキャビティ１０Ｙと称する。
【００２７】
なお、ここでは、横方向においてコネクタ１の両端にそれぞれ位置する４つのキャビティ１０が、キャビティ１０Ｘである。また、両端にそれぞれ位置する４つのキャビティ１０Ｘを除いた８つのキャビティ１０が、キャビティ１０Ｙである。
【００２８】
また、本実施形態においては、キャビティ１０Ｘの第一面１１側の内縁部における内周面が、第二面１２側から第一面１１側に向かうにつれ徐々にキャビティ１０Ｘの開口が大きくなるように傾斜して形成されている。即ち、キャビティ１０Ｘにおいては、面１０１，１０２における第一面１１側の一部が、傾斜するように構成されている。
【００２９】
また、本実施形態では、キャビティ１０Ｘにおける２つの対向する面１０１のうちの一方が、傾斜した部分を含む場合が示されている。また、キャビティ１０Ｘにおける２つの対向する面１０２のうちの一方が、傾斜した部分を含む。より具体的には、２つの面１０１のうち、キャビティ１０Ｙ側の一方が傾斜した部分を含む。また、２つの面１０２のうち、縦方向において並ぶ別のキャビティ１０Ｘ側の一方が傾斜した部分を含む。面１０１，１０２における傾斜した部分には、後述する柔軟部３が設けられる。
【００３０】
なお、別の態様として、２つの対向する面１０１の両方が、傾斜した部分を含む場合も考えられる。同様に、２つの対向する面１０２の両方が、傾斜した部分を含む場合も考えられる。
【００３１】
また、ここでは、図４〜６に示されるように、面１０１，１０２における第一面１１側の一部が、湾曲しつつ傾斜するように形成されている。なお、図４〜６に示されるように、キャビティ１０Ｘにおいて、面１０１，１０２における第一面１１側の一部以外の部分（傾斜した部分以外の部分）は、平坦な面となるように構成されている。コネクタ１の縦方向及び横方向の両方に直交する奥行方向において、面１０１，１０２は、平坦に構成された平坦面と傾斜する傾斜面とを含んでいる。なお、奥行方向は、第一面１１側から第二面１２側に向かう方向と一致する。
【００３２】
なお、別の態様として、面１０１，１０２における第一面１１側の一部が、直線状に傾斜するように形成されている場合も考えられる。
【００３３】
一方、ここでは、キャビティ１０Ｙにおいて、面１０１，１０２が、奥行方向において、平坦な面となるように構成されている。
【００３４】
また、ここでは、コネクタ１における複数のキャビティ１０を区分けする隔壁部１９は、第二面１２側から第一面１１に至るまで延在するように形成されている。即ち、第一面１１は、隔壁部１９の端面を含んでいる。
【００３５】
次にコネクタ付電線１００における柔軟部３について説明する。コネクタ付電線１００において、柔軟部３は、コネクタ１と一体に成形されている。柔軟部３は、キャビティ１０の第一面１１側の内縁部に設けられている。即ち、柔軟部３は、キャビティ１０の内周面のうち傾斜した部分に設けられている。ここでは、複数のキャビティ１０のうちのキャビティ１０Ｘのみに、柔軟部３が設けられている場合が示されている。
【００３６】
柔軟部３は、コネクタ１よりも柔軟な部材である。柔軟部３は、例えば、ゴム又はエラストマー等の弾性部材であることが考えられる。
【００３７】
また、コネクタ１及び柔軟部３は、一部の金型を共用する二色成形によって一体に成形されている場合が考えられる。また、別の態様として、コネクタ１を射出成形した後に別の金型に移し、この別の金型に柔軟部３を構成する材料を射出し硬化させることで、一体に成形されたコネクタ１及び柔軟部３を得ることも考えられる。
【００３８】
キャビティ１０Ｘの第一面１１側の内縁部に柔軟部３が設けられることで、曲げられた電線２が比較的硬いコネクタ１に接触せず、より柔軟な柔軟部３に接触する。即ち、電線２をキャビティ１０Ｘの内周面の柔軟部３で支持できるため、電線２が比較的硬いコネクタ１に接触することを回避できる。これにより、電線２が損傷することを抑制できる。
【００３９】
また、本実施形態では、さらに、複数のキャビティ１０のうちコネクタ１の第一面１１における中央部分から最も離れた位置のキャビティ１０Ｘのみに柔軟部３が設けられている。これは、図２に示されるように、コネクタ１の複数のキャビティ１０にそれぞれ挿入される複数の電線２が結束部材４によってコネクタ１の第一面１１における中央部分側でまとめられる際に、キャビティ１０Ｘに挿入される電線２が、比較的大きな曲率で曲げられるためである。本実施形態では、比較的大きな曲率で曲げられる電線２がコネクタ１のキャビティ１０Ｘの縁部に接触し、傷ついてしまうことが抑制される。なお、図２には、複数の電線２をまとめる結束部材４が配設される部分が、仮想線（二点鎖線）で示されている。
【００４０】
なお、別の態様として、本実施形態において、さらに、コネクタ１の第一面１１における中央部分から最も離れたキャビティ１０Ｘ以外のキャビティ１０の一部にも、柔軟部３が設けられている場合も考えられる。また、複数のキャビティ１０の全部に柔軟部３が設けられている場合も考えられる。
【００４１】
また、本実施形態においては、さらに、柔軟部３は、キャビティ１０Ｘの第一面１１側の内周面のうちコネクタ１の第一面１１における中央部分側の領域に設けられている。即ち、柔軟部３は、キャビティ１０Ｘの第一面１１側の内縁部の内周面のうち、キャビティ１０Ｘに挿入された電線２が結束部材４でまとめられる際に接触するおそれのある領域のみに形成されている。
【００４２】
ここでは、図２に示されるように、キャビティ１０Ｘの内周面における２つの面１０１のうちの一方及び２つの面１０２のうちの一方に柔軟部３が設けられている。より具体的には、２つの面１０１のうち、キャビティ１０Ｙ側の一方に柔軟部３が設けられている。また、２つの面１０２のうち、縦方向において並ぶ別のキャビティ１０Ｘ側の一方に柔軟部３が設けられている。
【００４３】
なお、別の態様として、柔軟部３が、２つの面１０１及び２つの面１０２の全部に設けられている場合又は２つの面１０１及び２つの面１０２のうち少なくとも１つの面に設けられている場合等が考えられる。なお、柔軟部３が２つの面１０１及び２つの面１０２の全部に設けられている場合、電線２がコネクタ１のキャビティ１０Ｘの内縁部に接触することをより確実に防止できる。
【００４４】
また、本実施形態では、柔軟部３は、面１０１及び面１０２に亘って一連に設けられている。なお、別の態様として、柔軟部３が、面１０１及び面１０２にそれぞれ分かれて設けられている場合も考えられる。
【００４５】
また、本実施形態においては、図４〜６に示されるように、さらに、柔軟部３は、キャビティ１０Ｘの第一面１１側の内縁部における内周面のうち奥行方向における一部の領域に形成されている。即ち、ここでは、柔軟部３は、キャビティ１０Ｘの内周面における傾斜した部分のうち奥行方向における一部の領域のみに設けられている。
【００４６】
本実施形態では、図４〜６に示されるように、柔軟部３は、キャビティ１０Ｘの内周面側で凸状に形成されている。より具体的には、柔軟部３は、キャビティ１０Ｘの内周面側で湾曲しつつ凸状に形成されている。従って、ここでは、湾曲しつつ凸状を成す柔軟部３が、面１０１及び面１０２に亘って一連に形成されている場合が示されている。なお、別の態様として、柔軟部３が、キャビティ１０Ｘの内周面側で角度を成して凸状に形成されている場合も考えられる。
【００４７】
また、本実施形態では、キャビティ１０Ｘの第一面１１側の内縁部における内周面に設けられる柔軟部３が、電線２の挿入作業を阻害しないような位置及び大きさで設けられている。即ち、図５に示されるように、横方向において、キャビティ１０Ｘの面１０１のうち平坦な部分の位置は、面１０１における傾斜した部分に設けられた柔軟部３の最も突出した部分の位置よりも、内側となっている。なお、図５では、便宜上、横方向における面１０１のうち平坦な部分の位置を点線で示している。また、同様に、本実施形態では、図６に示されるように、縦方向においても、キャビティ１０Ｘの面１０２のうち平坦な部分の位置は、面１０２における傾斜した部分に設けられた柔軟部３の最も突出した部分の位置よりも、内側となっている。この場合、面１０１，１０２における平坦な部分によって囲まれた開口よりも、柔軟部３及び面１０１，１０２における傾斜した部分によって囲まれた開口が大きくなる。即ち、柔軟部３が設けられたキャビティ１０Ｘの第一面１１側の開口が第二面１２側の開口よりも大きくなる。これにより、本実施形態では、第一面１１側から第二面１２側へ電線２を容易に挿入することが可能である。このため、コネクタ１へ電線２を挿入接続する作業を効率よく行うことができる。
【００４８】
また、本実施形態では、図４〜６に示されるように、キャビティ１０Ｘの内周面のうち奥行方向における第一面１１側の端部に柔軟部３が設けられている場合が示されている。この場合、キャビティ１０Ｘにおける最も鋭利な部分である縁部に、電線２が接触することを回避できる。
【００４９】
次に、コネクタ付電線１００における電線２について説明する。コネクタ付電線１００において、コネクタ１から延び出る複数の電線２は、コネクタ１の第一面１１側からコネクタ１の第一面１１に対し反対側の第二面１２側に向かってそれぞれキャビティ１０に挿入されてコネクタ１に接続される。
【００５０】
電線２は、例えば、銅又はアルミニウム等の金属を主成分とする線材である芯線２１とこの芯線２１の周囲を覆う絶縁被覆２２とを備える絶縁電線であることが考えられる。絶縁被覆２２は、例えば、ポリエチレン、塩化ビニル又はポリアミド系ナイロンなどを主成分とする合成樹脂の部材であることが考えられる。
【００５１】
また、本実施形態では、コネクタ１に挿入される電線２の端部には、端子８が接続される。端子８は、例えば、銅等の金属を主成分とする部材である。このため、電線２の端部においては、芯線２１の周囲の絶縁被覆２２が除去され、芯線２１が露出している。そして、端子８は、この電線２の端部の露出した芯線２１に接続される。
【００５２】
本実施形態では、端子８は、電線２の端部の芯線２１に接続される芯線接続部８１と電線２の絶縁被覆２２の端部に接続される被覆接続部８２と相手側部材に接続可能な接点部８３とを備える。ここでは、図３に示されるように、芯線接続部８１は、電線２の端部の芯線２１の周囲を覆う状態でかしめられることで接続されている。即ち、芯線接続部８１は、電線２の端部の芯線２１に圧着されている。また、被覆接続部８２は、絶縁被覆２２の端部の周囲を覆う状態でかしめられることで接続されている。即ち、被覆接続部８２は、絶縁被覆２２の端部に圧着されている。
【００５３】
なお、別の態様として、芯線接続部８１が芯線２１に溶接されている場合も考えられる。また、端子８における被覆接続部８２が省略された構成である場合も考えられる。
【００５４】
また、接点部８３は、相手側部材に接続可能な部分である。ここでは、接点部８３は、相手側部材が挿入されて接続可能な孔が形成されている。なお、接点部８３が、相手側部材に挿入されて接続される棒状に形成されている場合等も考えられる。
【００５５】
本実施形態では、電線２の端部に端子８が接続された状態で、電線２における端子８側の部分がコネクタ１のキャビティ１０に挿入される。そして、コネクタ１のリテーナー部によって端子８がキャビティ１０に挿入された状態で位置決めされる。これにより、コネクタ１に電線２が接続される。そして、コネクタ１から延び出る複数の電線２には、結束部材４が取り付けられる。
【００５６】
次にコネクタ付電線１００における結束部材４について説明する。結束部材４は、複数の電線２におけるコネクタ１から延び出た部分の周囲を一括して覆うように取り付けられる。結束部材４は、複数の電線２をまとめた状態で束ねる部材である。なお、複数の電線２をまとめた状態とは、複数の電線２間の距離が小さくなるように近付けられた状態を意味する。例えば、複数の電線２のうち隣り合う電線２同士が接触する状態を、電線２がまとめられた状態と称することができる。
【００５７】
結束部材４としては、例えば、内側に粘着層が形成されたテープ状の部材が考えられる。この場合、結束部材４が複数の電線２の周囲を一括して覆うように巻き付けられることで、複数の電線２がまとめられた状態で結束される。なお、結束部材４が、ゴム製のバンド部材等である場合も考えられる。
【００５８】
コネクタ付電線１００においては、まず、コネクタ１の第一面１１における中央部分のキャビティ１０から延び出る電線２に、その他の電線２が近付けられた状態で、結束部材４が複数の電線２の周囲を覆うように巻き付けられる。このとき、コネクタ１の第一面１１における中央部分のキャビティ１０Ｙから離れた位置のキャビティ１０Ｘに挿入された電線２は、比較的大きな曲率で上記中央部分側に曲げられる。ここで、本実施形態では、キャビティ１０Ｘに挿入された電線２は、曲げられると、比較的硬いコネクタ１のキャビティ１０Ｘの縁部に接触せず、キャビティ１０Ｘの第一面１１側の内周面に設けられたより柔軟な柔軟部３に接触する。これにより、電線２にかかる負荷が抑制されつつ、複数の電線２がまとめられた状態を作ることが可能となる。
【００５９】
＜効果＞
コネクタ付電線１００においては、柔軟部３がコネクタ１と一体に成形されている。また、柔軟部３は、コネクタ１のキャビティ１０Ｘの第一面１１側の内縁部に設けられている。この場合、コネクタ１に挿入された電線２が結束部材４によってまとめられる際、曲げられた電線２は、キャビティ１０Ｘの内縁部に設けられた柔軟部３に接触する。このため、電線２が、比較的硬いコネクタ１のキャビティ１０Ｘの縁部に接触することを抑制でき、摩耗することが抑制される。即ち、コネクタ１から引き出された電線２がコネクタ１のキャビティ１０Ｘの縁部に接触することが抑制され、電線２に大きな負荷がかかることを抑制できる。
【００６０】
また、コネクタ付電線１００において、キャビティ１０Ｘの第一面１１側の内縁部における内周面が、第二面１２側から第一面１１側に向かうにつれ徐々にキャビティ１０Ｘの開口が大きくなるように傾斜して形成されている。この場合、柔軟部３が設けられたキャビティ１０Ｘの第一面１１側の開口が狭くなることを抑制できる。また、本実施形態では、柔軟部３が設けられるキャビティ１０Ｘに、電線２を容易に挿入することも可能である。即ち、コネクタ１へ電線２を挿入接続する作業を効率よく行うことが可能である。
【００６１】
また、本実施形態において、柔軟部３は、キャビティ１０Ｘの第一面１１側の内縁部における内周面のうち第一面１１側から第二面１２側に向かう方向における一部の領域に形成されている。この場合、より少量の柔軟部３によって電２線の摩耗を抑制できる。即ち、より経済的に電線２にかかる負荷を抑制できる。
【００６２】
また、本実施形態においては、斜面上に設けられた柔軟部３は、キャビティ１０Ｘの第一面１１側の内縁部における内周面のうち奥行方向における一部の領域に設けられている。このため、電線２は、キャビティ１０の内周面の斜面に略沿うように曲げられる。従って、キャビティ１０の内周面の斜面の傾斜角度を調節することで、電線２が曲がり幅を抑制することが可能となり、電線２にかかる負荷を抑制することもできる。
【００６３】
また、本実施形態において、柔軟部３は、複数のキャビティ１０のうちコネクタ１の中央部分から最も離れた位置のキャビティ１０Ｘの内縁部に設けられている。コネクタの中央部分から最も離れた位置のキャビティ１０Ｘに挿入された電線２には、結束部材４によって複数の電線２がまとめられる際に、曲げによる応力が発生しやすい。従って、本実施形態においては、比較的強くコネクタ１の縁部に接触するおそれのある電線２にかかる負荷を低減できる。
【００６４】
また、本実施形態において、柔軟部３は、キャビティ１０Ｘの第一面１１側の内縁部の内周面のうち第一面１１におけるコネクタ１の中央部分側の領域に形成されている。即ち、柔軟部３は、キャビティ１０Ｘの内周面のうち結束部材４によって複数の電線２がまとめられる際に電線２が近付く側の領域に設けられている。この場合、より少量の柔軟部３によって電線２にかかる負荷を抑制できる。即ち、より経済的に電線２にかかる負荷を抑制できる。
【００６５】
＜第２実施形態＞
次に図７を参照しつつ、第２実施形態に係るコネクタ付電線２００について説明する。本実施形態においては、コネクタ付電線２００が柔軟部３と異なる構成の柔軟部３Ａを備える点で第１実施形態と異なる。図７は、コネクタ付電線２００の一部切り欠き平面図である。なお、図７において、図１〜６に示される構成要素と同じ構成要素には、同じ参照符号が付されている。以下、本実施形態における第１実施形態と異なる点について説明する。
【００６６】
コネクタ付電線２００は、コネクタ１、電線２、柔軟部３Ａ及び結束部材４を備える。コネクタ１、電線２及び結束部材４については、第１実施形態と同様の構造であるため、説明を省略する。
【００６７】
本実施形態において、柔軟部３Ａは、キャビティ１０Ｘの第一面１１側の内縁部における内周面のうち第一面１１側から第二面１２側に向かう方向（奥行方向）における全部の領域を覆うように設けられている。即ち、ここでは、柔軟部３Ａは、キャビティ１０Ｘの内周面のうち傾斜した部分全体を覆うように設けられている。
【００６８】
また、ここでは、図７に示されるように、奥行方向において、キャビティ１０Ｘの面１０１，１０２のうち平坦な部分と柔軟部３Ａとの間には段差が形成されていない。即ち、柔軟部３Ａと面１０１，１０２における平坦な部分との境界が平らとなるように形成されている。
【００６９】
また、ここでは、奥行方向において、柔軟部３Ａにおける第一面１１側の端面の位置が、第一面１１の位置、より詳細には、隔壁部１９の端面の位置、と一致するように、柔軟部３Ａがコネクタ１に設けられている。
【００７０】
コネクタ付電線２００においても、柔軟部３Ａがコネクタ１と一体に成形されている。また、柔軟部３Ａは、コネクタ１のキャビティ１０Ｘの第一面１１側の内縁部に設けられている。この場合、コネクタ１に挿入された電線２が結束部材４によってまとめられる際、曲げられた電線２は、キャビティ１０Ｘの内縁部に設けられた柔軟部３Ａに接触する。このため、電線２が、比較的硬いコネクタ１のキャビティ１０Ｘの縁部に接触することを抑制でき、摩耗することが抑制される。即ち、コネクタ１から引き出された電線２がコネクタ１のキャビティ１０Ｘの縁部に接触することが抑制され、電線２に大きな負荷がかかることを抑制できる。
【００７１】
また、コネクタ付電線２００においても、キャビティ１０Ｘの第一面１１側の内縁部における内周面が、第二面１２側から第一面１１側に向かうにつれ徐々にキャビティ１０Ｘの開口が大きくなるように傾斜して形成されている。この場合、柔軟部３Ａが設けられたキャビティ１０Ｘの第一面１１側の開口が狭くなることを抑制できる。
【００７２】
また、本実施形態においては、柔軟部３Ａは、キャビティ１０Ｘの第一面１１側の内縁部における内周面のうち第一面１１側から第二面１２側に向かう方向における全部の領域を覆うように設けられている。即ち、柔軟部３Ａは、傾斜した部分全体を覆うように設けられている。この場合、電線２に接触可能な柔軟部３Ａの領域を大きくすることができ、結束部材４によってまとめられ、曲げられた電線２が、より確実に柔軟部３Ａに接触する。このため、より一層電線２にかかる負荷を低減できる。
【００７３】
＜応用例＞
横方向又は縦方向に沿う切断線によって切断した断面において、キャビティ１０が丸形状の場合、即ち、キャビティ１０の内周面が湾曲面である場合も考えられる。また、上記断面において、キャビティ１０が角丸四角形状の場合、即ち、キャビティ１０の内周面が４つの平らな面と隣り合う平らな面を繋ぐ湾曲面とを含む場合も考えられる。
【００７４】
なお、本発明に係るコネクタ付電線は、各請求項に記載された発明の範囲において、以上に示された各実施形態を自由に組み合わせること、或いは、各実施形態を適宜、変形する又は一部を省略することによって構成されることも可能である。
【符号の説明】
【００７５】
１  コネクタ
１０  キャビティ
１００  コネクタ付電線
１１  第一面
１２  第二面
２  電線
３  柔軟部
３Ａ  柔軟部
４  結束部材
【図１】
2016201235.tif 000003
【図２】
2016201235.tif 000004
【図３】
2016201235.tif 000005
【図４】
2016201235.tif 000006
【図５】
2016201235.tif 000007
【図６】
2016201235.tif 000008
【図７】
2016201235.tif 000009